(57)【要約】  本発明は、ハウジングと少なくとも２つのケーブル（３Ａ，３Ｂ）の継ぎ手システム（１５Ａ，１５Ｂ）を受容するための継ぎ手受容構造（３０Ａ，３０Ｂ）とを含んでいるケーブルコネクタ（２）に関する。それぞれの継ぎ手受容構造（３０Ａ，３０Ｂ）は、継ぎ手システム（１５Ａ，１５Ｂ）のフランジ（１９Ａ，１９Ｂ）を収容するように適合されており、継ぎ手受容構造（３０Ａ，３０Ｂ）は、継ぎ手システム（１５Ａ，１５Ｂ）の隣接したフランジ（１９Ａ，１９Ｂ）が互いの境界に略接して、または少なくとも部分的にオーバーラップするように配置されている。
2008509536.tif 000002
【特許請求の範囲】
【請求項１】
ハウジングと、少なくとも２つのケーブル（３Ａ，３Ｂ）の継ぎ手システム（１５Ａ，１５Ｂ）を受容するための継ぎ手受容構造（３０Ａ，３０Ｂ）とを備えたケーブルコネクタ（２）であって、
それぞれの前記継ぎ手受容構造（３０Ａ，３０Ｂ）は、少なくとも１つの前記継ぎ手システム（１５Ａ，１５Ｂ）のフランジ（１９Ａ，１９Ｂ）を収容するように適合されており、
前記継ぎ手受容構造（３０Ａ，３０Ｂ）は、前記継ぎ手システム（１５Ａ，１５Ｂ）の隣接したフランジ（１９Ａ，１９Ｂ）が、互いの境界に略接して、または少なくとも部分的にオーバーラップするように配置されていることを特徴とするケーブルコネクタ。
【請求項２】
前記ハウジングが第１のカバー半体（４）と第２のカバー半体（５）とを含んでおり、前記第１のカバー半体（４）と第２のカバー半体（５）とは前記コネクタ（２）の分割面（Ｓ）を定義しており、それぞれの前記継ぎ手受容構造（３０Ａ，３０Ｂ）は、前記分割面（Ｓ）に関して略対称に配置されていることを特徴とする請求項１に記載のケーブルコネクタ。
【請求項３】
ケーブル入口（７Ａ，７Ｂ）が１つ以上の保持リブ（４０）を含んでいることを特徴とする請求項１または２に記載のケーブルコネクタ。
【請求項４】
前記ハウジングが第１のカバー半体（４）と第２のカバー半体（５）とを含んでおり、前記第１のカバー半体（４）と第２のカバー半体（５）とは前記コネクタ（２）の分割面（Ｓ）を定義しており、前記保持リブ（４０）は前記分割面（Ｓ）に関して面取りされていることを特徴とする請求項３に記載のケーブルコネクタ。
【請求項５】
前記継ぎ手受容構造（３０Ａ，３０Ｂ）が非円形形状部を含んでおり、該非円形形状部は、前記継ぎ手システム（１５Ａ，１５Ｂ）の対応する非円形形状部と協働するように適合されていることを特徴とする請求項１〜４のいずれか一項に記載のケーブルコネクタ。
【請求項６】
請求項１〜５のいずれか一項に記載のケーブルコネクタと、第１のフランジ（１９Ａ）を備えた第１の継ぎ手システム（１５Ａ）に設けられた少なくとも第１のケーブル（３Ａ）と、第２のフランジ（１９Ｂ）を備えた第２の継ぎ手システム（１５Ｂ）に設けられた隣接した第２のケーブル（３Ｂ）と、を含んでいるケーブルコネクタアセンブリであって、
前記第１の継ぎ手システム（１５Ａ）と第２の継ぎ手システム（１５Ｂ）とが、前記隣接した第２のフランジ（１９Ｂ）と前記隣接した第１のフランジ（１９Ａ）とをそれぞれ部分的に受容するように適合されていることを特徴とするケーブルコネクタアセンブリ。
【請求項７】
前記継ぎ手システム（１５Ａ，１５Ｂ）は、前記隣接したフランジ（１９Ｂ，１９Ａ）の前記一部分を受容するための隙間（２０）を互いに決定付けるように配置された内部継ぎ手（１６Ａ，１６Ｂ）と外部継ぎ手（１７Ａ，１７Ｂ）とを備えていることを特徴とするケーブルコネクタアセンブリ。
【請求項８】
請求項１〜５のいずれか一項に記載のケーブルコネクタ、または請求項６若しくは７に記載のケーブルコネクタアセンブリで使用している継ぎ手システム（１５Ａ，１５Ｂ）であって、
前記継ぎ手システム（１５Ａ，１５Ｂ）は、フランジ（１９Ａ，１９Ｂ）と、隣接した継ぎ手システム（１５Ｂ，１５Ａ）のフランジ（１９Ｂ，１９Ａ）を受容する構造（２０）とを備えていることを特徴とする継ぎ手システム。
【請求項９】
前記フランジ（１９Ａ，１９Ｂ）を受容する前記構造（２０）を互いに決定付けるように配置された内部継ぎ手（１６Ａ，１６Ｂ）と外部継ぎ手（１７Ａ，１７Ｂ）とを含んでいることを特徴とする請求項８に記載の継ぎ手システム。
【請求項１０】
前記継ぎ手システム（１５Ａ，１５Ｂ）が多角形、六角形、四角形、楕円形およびＤ形状を含んでいるグループから選択された外形形状を備えていることを特徴とする請求項９に記載の継ぎ手システム。
【請求項１１】
ハウジングと、
少なくとも第１のケーブル（３Ａ）のフランジ（１９Ａ）を含んでいる第１の継ぎ手システム（１５Ａ）を受容するための第１の継ぎ手受容構造（３０Ａ）と、
第２のケーブル（３Ｂ）の第２の継ぎ手システム（１５Ｂ）を受容するための第２の継ぎ手受容構造（３０Ｂ）とを含んでいるケーブルコネクタであって、
前記第１の継ぎ手受容構造（３０Ａ）と第２の継ぎ手受容構造（３０Ｂ）とは前記フランジ（１９Ａ）を収容するように適合されており、
前記フランジ（１９Ａ）は、前記第２の継ぎ手システムと協働するように適合されて、ケーブル入口（７Ａ，７Ｂ）近傍で前記ケーブルコネクタ（２）を閉じていることを特徴とするケーブルコネクタ。
【発明の詳細な説明】
【技術分野】
【０００１】
本発明は、ハウジングと少なくとも２つの継ぎ手システムを受容するための継ぎ手受容構造とを備えたケーブルコネクタに関する。
【背景技術】
【０００２】
特許文献１において、少なくとも２つのケーブル出口と、ひずみ緩和手段を受容するための２つの位置とを備えたハウジングを含んでいるケーブルコネクタが開示されている。前記受容位置は、互いに関して千鳥状とされ（ｓｔａｇｇｅｒｅｄ）、コネクタの中心面に関してオフセットして配置されている。
【特許文献１】欧州特許出願公開第１１２２８３４号明細書
【発明の開示】
【発明が解決しようとする課題】
【０００３】
電気通信分野のような、上述のタイプのケーブルコネクタが通常用いられる業界においては、高速通信を可能にする高密度接続パネルが指向されている。従来のケーブルコネクタは、受容位置を千鳥状としたり、オフセット配置させる点で不利を有する結果、ケーブルコネクタの寸法が増大してしまい、高密度パネルの使用に弊害をもたらしている。
【課題を解決するための手段】
【０００４】
本発明の目的は、少なくとも２つのケーブルを低減した寸法で終端させたケーブルコネクタを提供することである。この目的は、それぞれの継ぎ手受容構造が、少なくとも１つの継ぎ手のフランジを収容するように適合され、かつ、前記継ぎ手システムの隣接したフランジが、互いの境界に略接するか、または少なくとも部分的にオーバーラップしているように配置されることで達成される。本発明によるケーブルコネクタ構成は、前記ケーブルの前記継ぎ手が、隣接したケーブルの間の間隔と前記ケーブルコネクタの電磁気的シールド性能との両方を決定付けている。従って、そのようなケーブルコネクタは、継ぎ手受容構造の形状と配置とによって、その寸法および電磁気的シールド性能に関して最適化されている。隣接したフランジが接触する場合において、隣接したフランジの間にスリットが依然として存在する場合がある。しかしながら、本発明においてはそのようなスリットは、電磁気的シールド性能に関しては無視することができる。スリットの許容寸法は、例えば前記ケーブルを通して送信された信号の周波数に依存している。最終的に、前記継ぎ手システムのフランジは、ケーブルコネクタのひずみ緩和性能に寄与している。本発明の実施形態において、前記ハウジングは、第１のカバー半体と第２のカバー半体とを含んでおり、前記第１のカバー半体と第２のカバー半体とは、前記コネクタの分割面を定義しており、前記それぞれの継ぎ手受容構造は、前記分割面に関して略対称に配置されている。従来技術におけるケーブルコネクタは、継ぎ手受容構造が前記コネクタの前記分割面に対してオフセットされている。本発明の実施形態によれば、オフセット量をなくすことは、前記ケーブルコネクタの寸法の縮小することになる。本発明の実施形態において、前記ケーブルコネクタの少なくとも１つのケーブル入口は、１つ以上の保持リブを含んでいる。ケーブルの前記継ぎ手システムは、好ましくは前記ケーブル被覆に対向して前記ケーブルのシールド編素線上に備えられていることが好ましく、従って、前記ケーブル被覆を覆っていないので、このケーブル被覆は、ケーブルに力がかかった際には簡単に前記ケーブル入口から外すことができるであろう。ケーブル入口の前記保持リブは、ケーブル被覆がケーブルコネクタから外れるのを防止しており、フランジが設けられた領域の近傍で、継ぎ手システムをケーブルに取り付けることを必要としない。さらに、保持リブは、ケーブルコネクタのケーブル曲げ緩和性能を高めている。本発明によるより好適な実施形態においては、これらの保持リブは、ケーブルコネクタの前記分割面に関して面取りされている。その結果、ケーブル入口を完成させるために前記カバー半体を閉鎖することによって、前記分割面の近傍の面取り領域において、ケーブル被覆の緩和空間を形成し、この緩和空間によって、カバー半体を閉鎖する際に、ケーブル被覆１２が圧迫されるのを防止している。
【０００５】
本発明による実施形態においては、前記継ぎ手受容構造が非円形形状部を含んでおり、該非円形形状部は、前記継ぎ手システムの対応する非円形形状部と協働するように適合されている。このような構造とした結果、ケーブルコネクタのねじりの緩和性能を向上している。
【０００６】
上記実施形態あるいはその外観は、組み合わせることが可能であることに留意されたい。本発明はさらに、上述されたようなケーブルを含んでいるケーブルコネクタに関するものであり、該コネクタは、第１のフランジを備えた第１の継ぎ手システムに設けられた少なくとも第１のケーブルと、第２のフランジを備えた第２の継ぎ手システム（１５Ｂ）に設けられた隣接した第２のケーブルと、を含んでいる。前記第１および第２の継ぎ手システムは、特に前記隣接した第２フランジおよび前記隣接した第１フランジの一部を受容するように適合している。隣接したフランジの一部を収容するような継ぎ手システムの構造とすることで、ケーブル群は、ともに密接して配置され、適切な電磁気的シールド性能を維持することができる。従って、ケーブルコネクタの寸法を小さくすることができる。好ましくは、それぞれの継ぎ手システムは、前記隣接したフランジの前記一部を受容する隙間を互いが位置決めすることについて調整されるように、内部継ぎ手と外部継ぎ手とで構成されている。
【０００７】
また、本発明は、上述したケーブルコネクタまたは、ケーブルコネクタシステムを使用するための継ぎ手システムに関するものであり、前記継ぎ手システムは、フランジと、隣接した継ぎ手システムのフランジを受容する構造とを含んでいる。そのような継ぎ手システムは、ケーブルコネクタ内において、前記ケーブルの密接な配置を可能にしており、これによって前記ケーブルコネクタの寸法を小さくしている。本発明の実施形態において、前記継ぎ手システムは、前記隣接したフランジの前記一部分を受容するための隙間を互いに決定付けるように配置された内部継ぎ手と外部継ぎ手とを備えている。
【０００８】
本発明の実施形態において、前記継ぎ手システムは多角形、六角形、四角形、楕円形およびＤ形状を含んでいるグループから選択された外形形状を備えており、それらの形状は、ケーブルコネクタアセンブリのねじれ緩和性能の点で有利である。
【発明を実施するための最良の形態】
【０００９】
以下、本発明をさらに添付図面を参照しつつ説明する。当該添付図面は、本発明による好適な実施形態の概略を示している。本発明が、いかなる意味においても、このような特定の好適な実施例に限定解釈されるべきものではないということは理解されるであろう。
【００１０】
図１は、直角を成すケーブルコネクタ２とケーブル３Ａおよび３Ｂとを含んだケーブルコネクタアセンブリ１を示した図である。前記ケーブルコネクタ２は、それぞれねじ６で組みつけられたカバー半体４および５を備えたハウジングを有している。カバー半体４および５はさらに、それぞれがケーブルコネクタの背面側でケーブル入り口７の外部を画定しており、ケーブル３Ａ，３Ｂは、カバー半体４および５によって画定されたハウジングに進入可能とされている。
【００１１】
ケーブルコネクタ２の嵌合側において、シュラウドＳは、ハウジングから突出している。端子ブロック８は、（図５に示しているように）ケーブル３Ａおよび３Ｂの電線終端に接続されている端子を備えている。また、前記嵌合側は、ケーブルコネクタ２をコネクタパネルのような相手側に固定するための取り付けねじ９を備えている。
【００１２】
図２Ａ〜２Ｃは、本発明の実施形態による継ぎ手システム１５を備えたケーブル１０を示した図である。ケーブル１０は、ケーブル被覆１２と、ケーブルコネクタ２の端子ブロックハウジング８において終端されたシールド編素線１３および複数の電線１４とを備えている。
【００１３】
図２Ｂおよび図２Ｃにおいて、ケーブル１０は、継ぎ手システム１５を備えている。この継ぎ手システム１５は、ケーブル１０のシールド編素線１３の周囲に嵌着された内部継ぎ手１６を含んでいる。この内部継ぎ手１６は、ケーブル被覆１２に対向して配置されている。シールド編素線１３は、内部継ぎ手１６の上部に折り返されて保持されており、その後、外部継ぎ手１７が折り返されたシールド編素線１３の上に配置されている。内部継ぎ手１６と外部継ぎ手１７とは、所定の変形領域で六角形状の工具を使用して１つの工程で圧着されており、外部継ぎ手の材料の変形によって、所定の耳部（ｅａｒｓ）が形成されている。図２Ｃは、構造をより明らかにする目的で、圧着された外部継ぎ手１７を、ケーブル１０から取り外した状態を示した図である。
【００１４】
内部継ぎ手１６はさらに、フランジ１９を含んでいる。フランジ１９は記述された実施形態においては円形の形状であることが好ましいが、同様に六角形、四角形、楕円形およびＤ形状のような非円形の形状であってもよい。
【００１５】
内部継ぎ手１６および外部継ぎ手１７は、隙間２０として表わされており、隣接した継ぎ手システム１５のフランジ１９を受容するための構造を、互いに画定するように配置されている。
【００１６】
図３Ａおよび図３Ｂは、ケーブルコネクタ２の前記カバー半体４の内部構造を図１とは異なった方向から示した図である。
【００１７】
カバー半体４は、ケーブル３Ａの継ぎ手システム１５Ａのための第１の継ぎ手受容構造３０Ａと、ケーブル３Ｂの継ぎ手システム１５Ｂのための第２の継ぎ手受容構造３０Ｂとを備えている。継ぎ手受容構造３０Ａおよび３０Ｂは、ケーブルコネクタ２の背面側に配置され、ケーブル入口７Ａおよび７Ｂの直後にある。継ぎ手受容構造３０Ａおよび３０Ｂは、カバー半体４および５の分割面で定義される仮想の分割面に関して対称になっており、すなわち、カバー半体４に形成された継ぎ手受容構造３０Ａは、カバー半体５に形成された継ぎ手受容構造３０Ｂに略同一とされている。分割面は、図４中に概略的に示されている。
【００１８】
継ぎ手受容構造３０Ａおよび３０Ｂは、継ぎ手システム１５Ａおよび１５Ｂのフランジ１９Ａおよび１９Ｂに適合した凹部３１Ａおよび３１Ｂを含んでいる。
【００１９】
図３Ｂに最も明確に示されているように、継ぎ手受容構造３０Ａおよび３０Ｂは、これらのうちいずれかの隣接したフランジ１９Ａおよび１９Ｂが、少なくとも部分的にオーバーラップしているように配置されている。これについては、図５Ａおよび図５Ｂ中に示している。さらに、継ぎ手受容構造３０Ａおよび３０Ｂは、継ぎ手システム１５Ａおよび１５Ｂの、耳部１８Ａおよび１８Ｂのそれぞれと協働するように適合された構造３２Ａおよび３２Ｂを含んでいる。これらの要素の協働は、ケーブルコネクタアセンブリ１のねじれ緩和性能に寄与している。また、継ぎ手受容構造３０Ａおよび３０Ｂは、継ぎ手システム１５Ａ，１５Ｂの、外部継ぎ手１７Ａ，１７Ｂの外部構造を収容するのに適した、位置決め面３３Ａ，３３Ｂを含んでいる。継ぎ手受容構造３０Ａ，３０Ｂの形状は、フランジ１９Ａ，１９Ｂも含め、継ぎ手システム１５Ａ，１５Ｂの形状および寸法に合わせられることが理解されるべきである。好ましくは、継ぎ手受容構造３０Ａおよび３０Ｂは多角形断面を備え、継ぎ手システム１５Ａ，１５Ｂの一部の対応する多角形形状と協働するように適合されている。多角形形状は、ケーブルコネクタアセンブリ１のねじれ緩和性能に有利に働いている。
【００２０】
最後に、カバー半体４は、ケーブル３Ａおよび３Ｂの電線１４のための内部空間３４と、上部カバー半体５をカバー半体４に組み付けるためのねじ６を受容するねじ穴３５とを備えている。
【００２１】
ケーブル３Ａおよび３Ｂのためのケーブル入口７Ａおよび７Ｂは、保持リブ４０を備えている。これらの保持リブ４０は、多数であるにもかかわらず、図４において、ケーブル入口７Ａの詳細なイメージとして示されている。保持リブ４０は、ケーブル入口７Ａにおいて鋸歯状のプロファイルを備えており、この形状によりケーブル３Ａのケーブル被覆１２と相互に作用している。ケーブル３Ａの継ぎ手システム１５Ａは、ケーブル３Ａのシールド編素線１３にかぶさり、かつケーブル被覆１２に対向して設けられているため、継ぎ手システム１５Ａは、ケーブル被覆１２に圧着されていない。保持リブ４０は、力がケーブル３にかかった際に、ケーブル被覆１２がケーブルコネクタ入口７Ａから抜けるのを防止している。これらの力は、ケーブル被覆１２を、保持リブ４０の間の空間に押し付ける働きをさせている。さらに、保持リブ４０は、ケーブルコネクタ２の曲げ緩和特性を高めている。同様のプロファイルは、ケーブル入口７Ｂに用いることもできる。
【００２２】
ケーブルコネクタハウジングのカバー半体４および５は、仮想分割面を定義しており、図４中の線Ｓとして概略的に記載されている。保持リブ４０は、この分割面に対して角度αで面取りされている。角度αは、４５度であるのが好ましい。その結果、ケーブル入口７Ａを完成させるためカバー半体４および５を閉鎖することによって、分割面Ｓの近傍の面取り領域において、ケーブル被覆１２の緩和空間を形成し、ケーブルコネクタアセンブリ１を完成している間に、ケーブル被覆１２が圧迫されるのを防止している。
【００２３】
図５Ａおよび図５Ｂは、図２Ｂに示されているように、継ぎ手システム１５Ａ，１５Ｂが設けられたケーブル３Ａ，３Ｂが、ケーブルコネクタ２中に組み込まれたケーブルコネクタアセンブリ１を示した図である。同一の参照符号が、ケーブルコネクタアセンブリ１の同一部品を示すために用いられている。図から明らかなように、フランジ１９Ａおよび１９Ｂの一部は、隣接しているフランジ１９Ｂおよび１９Ａそれぞれの部分とオーバーラップしている。その結果、ケーブルコネクタアセンブリ１が、上部カバー半体５を組みつけられて完成された際に、完全に閉じられ、寸法が低減され、且つ電磁気シールド性能を満足したケーブルコネクタ２を得ることができる。閉じられたケーブルコネクタ２を得るために、ケーブルコネクタ２の背面側近傍には、いかなる追加的な部品も必要とされない。ケーブルコネクタカバー半体４および５の内部構造は、フランジ１９Ａ，１９Ｂがオーバーラップするように、継ぎ手システム１５Ａおよび１５Ｂが配置されることを可能にしている。継ぎ手システム１５Ａ，１５Ｂは、隣接したフランジ１９Ａ，１９Ｂの一部を収容することができるように形成されている。図５Ａおよび図５Ｂにおいて、このような効果は、フランジ１９Ａおよび１９Ｂのための内部継ぎ手１６Ａ，１６Ｂと外部継ぎ手１７Ａ，１７Ｂとの間で隙間２０を形成することによって、容易に得ることができる。従って、それぞれのフランジ１９Ａ，１９Ｂは、わずかに千鳥状として配置されている。
【００２４】
フランジ１９Ａおよび１９Ｂは、凹部３１Ａおよび３１Ｂ内に配置されており、ケーブルコネクタアセンブリ１のひずみ緩和性能を高めている。
【００２５】
さらに、それぞれのケーブル３Ａおよび３Ｂ上で、内部継ぎ手１６Ａおよび１６Ｂと外部継ぎ手１７Ａおよび１７Ｂとを六角形状に圧着（ｈｅｘａｇｏｎａｌ  ｃｒｉｍｐｉｎｇ）することによって得られた耳部１８Ａおよび１８Ｂは、継ぎ手受容構造３０Ａおよび３０Ｂの構造３２Ａおよび３２Ｂ内に配置されている。その結果、ケーブルコネクタアセンブリのねじれ緩和性能は、高められている。
【００２６】
ケーブル３Ａおよび３Ｂの電線１４は、通常はシュラウドＳ中に挿入され、上部カバー半体５を組みつける前に、端子ブロック８の端子に接続されることはことに留意すべきである。
【００２７】
ケーブルコネクタ２、ケーブルコネクタアセンブリ１および継ぎ手システム１５の上述の実施形態は、本発明を限定するものではなく、図６Ａ〜図６Ｃに示されたような非円形の形状のフランジ１９Ａ，１９Ｂを備えた継ぎ手システム１５Ａおよび１５Ｂのような、さらなる改良が予期できることに留意すべきである。図６Ａにおいて、フランジ１９Ａおよび１９Ｂは、六角形の外形を備えており、破線で示されたように、これらのフランジを千鳥状とすることによってオーバーラップしている。図６Ｂにおいて、フランジ１９Ａ，１９Ｂのための楕円形の形状が示されており、これもまた、オーバーラップ配置を示している。図６Ｃは、略Ｄ形状のフランジ１９Ａおよび１９Ｂの形態を示した図であり、ケーブル３Ａおよび３Ｂが互いに接触できるように、それらの平坦な面において、理想的には互いに当接しており、結果としてケーブルコネクタ２の寸法をさらに低減させている。しかしながら、この形態は、実際のところフランジ１９Ａと１９Ｂとの間で無視できる小さなスリットｄを生じさせている。しかしながら、そのような小さなスリットｄは、ケーブルコネクタアセンブリ１の電磁気シールド性能を損なうものではない。
【００２８】
（可能な限り小さなスリットｄをもって）互いに接触させているか、または互いにオーバーラップさせているようなフランジ１９Ａ，１９Ｂのための別の形状も、同様に本発明の技術的範囲に属するものである。フランジの寸法は種々の値をとることができる。
【００２９】
さらに、保持リブ４０は、ケーブル被覆１２との協働機能が実現されている限り、第１のカバー半体４および第２のカバー半体５内での、例えば千鳥状、および／または間欠的なリブのように、あらゆる形状またはプロファイルをとりうる。
【００３０】
外部継ぎ手１７Ａ，１７Ｂの変形部１８Ａ，１８Ｂは、別の形状とすることもできる。さらに、ケーブルコネクタ２は、適宜に形成され、かつ配置されて本発明の目的を実現している継ぎ手受容構造３０を備えた２つのケーブル３Ａ，３Ｂよりも多い数のケーブルにも好適である。
【００３１】
継ぎ手システム１５Ａ，１５Ｂは、同一形状とすることが好ましいが、本発明の優位性は、異なった形状の継ぎ手システムによっても達成することができる。従って、本発明は、ハウジングと、第１のケーブル３Ａのフランジ１９Ａを備えた第１の継ぎ手システム１５Ａの少なくとも第１の受容構造３０Ａと、第２のケーブル３Ｂの第２の継ぎ手システム１５Ｂを受容している第２の受容構造３０Ｂとを備えたケーブルコネクタ２にも関する。ここで、第１の継ぎ手受容構造３０Ａおよび第２の継ぎ手受容構造３０Ｂは、フランジ１９Ａ収容するように適合されており、かつ、フランジ１９Ａは、第２の継ぎ手システムと協働して、ケーブル入口７Ａ，７Ｂの近傍においてケーブルコネクタ２を閉じるように、するように適合されている。そのような形態は、図７中に概略的に示されている。
【図面の簡単な説明】
【００３２】
【図１】本発明の実施形態によるケーブルコネクタアセンブリを示した図である。
【図２Ａ】本発明の実施形態による継ぎ手システムが設けられたケーブルを示した図である。
【図２Ｂ】本発明の実施形態による継ぎ手システムが設けられたケーブルを示した図である。
【図２Ｃ】本発明の実施形態による継ぎ手システムが設けられたケーブルを示した図である。
【図３Ａ】ケーブルコネクタアセンブリのケーブルコネクタのカバー半体を図１とは異なった視点から示した図である。
【図３Ｂ】ケーブルコネクタアセンブリのケーブルコネクタのカバー半体を図１とは異なった視点から示した図である。
【図４】図３Ａのケーブルコネクタのケーブル入り口の詳細イメージを示した図である。
【図５Ａ】図２Ｃのケーブルを備えた図３のケーブルコネクタを示した図である。
【図５Ｂ】図２Ｃのケーブルを備えた図３のケーブルコネクタを示した図である。
【図６Ａ】フランジの種類の異なった実施形態の概略図を示した図である。
【図６Ｂ】フランジの種類の異なった実施形態の概略図を示した図である。
【図６Ｃ】フランジの種類の異なった実施形態の概略図を示した図である。
【図７】継ぎ手システムを備えた代替の形態の概略図を示した図である。
【符号の説明】
【００３３】
１  ケーブルコネクタアセンブリ
２  ケーブルコネクタ
３Ａ  ケーブル
３Ｂ  ケーブル
４  第１のカバー半体
５  第２のカバー半体
６  ねじ
７  ケーブル入口
８  端子ブロックハウジング
９  取り付けねじ
１０  ケーブル
１２  ケーブル被覆
１３  シールド編素線
１４  電線
１５  継ぎ手システム
１６  内部継ぎ手
１７  外部継ぎ手
１８  耳部
１９  フランジ
３０Ａ  継ぎ手受容構造
３０Ｂ  継ぎ手受容構造
３１Ａ  凹部
３１Ｂ  凹部
３３Ａ  位置決め面
３３Ｂ  位置決め面
４０  保持リブ
【図１】
2008509536.tif 000003
【図２Ａ】
2008509536.tif 000004
【図２Ｂ】
2008509536.tif 000005
【図２Ｃ】
2008509536.tif 000006
【図３Ａ】
2008509536.tif 000007
【図３Ｂ】
2008509536.tif 000008
【図４】
2008509536.tif 000009
【図５Ａ】
2008509536.tif 000010
【図５Ｂ】
2008509536.tif 000011
【図６Ａ】
2008509536.tif 000012
【図６Ｂ】
2008509536.tif 000013
【図６Ｃ】
2008509536.tif 000014
【図７】
2008509536.tif 000015
【国際調査報告】
2008509536.tif 000016
2008509536.tif 000017